(57)【要約】      （修正有）【課題】有効的に水の資源を利用できる気体製造機の構造を提供する。【解決手段】ボックス本体１、収集ボックス３、連通管４及び電解ユニット５を含み、該ボックス本体の内部に水を入れることができ、該収集ボックス内部に水を入れることができ、該収集ボックス内部の空間に一つの気体スペース３１を隔て、一つの排気管３２を該収集ボックスの頂部に設け、且つ該気体スペースと相通じ、且つ該収集ボックスの水平位置は該ボックス本体と同じ或いは高く、該連通管の一端は該ボックス本体内部空間の底部と相通じ、別端は該収集ボックス内部空間の底部と相通じ、該電解ユニットはインプット端および第一アウトプット端を具有し、該インプット端は第一管体５１と該ボックス本体内部空間の底部と相通じ、該第一アウトプット端は第二管体５２と接続し、且つ該第二管体の別端は該収集ボックスの内部空間と相通じる。【選択図】図１
0003220913.tif 000002
【実用新案登録請求の範囲】
【請求項１】
一つのボックス本体、一つの収集ボックス、一つの連通管及び一つの電解ユニットを含み、
該ボックス本体の内部に水を入れることができ、
該収集ボックス内部に水を入れることができ、該収集ボックス内部の空間に一つの気体スペースを隔て、一つの排気管を該収集ボックスの頂部に設け、且つ該気体スペースと相通じ、且つ該収集ボックスの水平位置は該ボックス本体と同じ或いは高く、
該連通管の一端は該ボックス本体内部空間の底部と相通じ、別端は該収集ボックス内部空間の底部と相通じ、
該電解ユニットは一つのインプット端および一つの第一アウトプット端を具有し、該インプット端は一つの第一管体と該ボックス本体内部空間の底部と相通じ、該第一アウトプット端は一つの第二管体と接続し、且つ該第二管体の別端は該収集ボックスの内部空間と相通じることを特徴とする気体製造機の構造。
【請求項２】
前記該第二管体の別端は該収集ボックスにまで伸びて該収集ボックス内の水の中に入れ、或いは該気体スペースと相通じることを特徴とする請求項１記載の気体製造機の構造。
【請求項３】
前記該電解ユニットは一つの第二アウトプット端を具有し、該第二アウトプット端は一つの第三管体と接続し、且つ該第三管体の一端と該ボックス本体の内部は相通じることを特徴とする請求項１或いは請求項２記載の気体製造機の構造。
【請求項４】
前記該ボックス本体内部に一つの液面センサーを設け、更に該ボックス本体と相通じる一つの搬送ユニットを設け、該搬送ユニットは該液面センサーと電気接続し、該搬送ユニットは該液面センサーが感知した結果により、該ボックス本体内に水を搬送するか否かを決定することを特徴とする請求項３記載の気体製造機の構造。
【請求項５】
前記該ボックス本体内部に、アラームと電気接続する一つの液面センサーを設け、該液面センサーは、該ボックス本体内の水位が一つの範囲値以内を満たさない場合、該アラームが作動することを特徴とする請求項３記載の気体製造機の構造。
【考案の詳細な説明】
【技術分野】
【０００１】
本考案は気体製造機の構造に関し、特に一種の気体製造機の構造に関する。
【背景技術】
【０００２】
研究によると、人体は自ら水素を作り出して体内にあるフリーラジカルを中和し、細胞がダメージを受けないようにプロテクトする、或いは正常な新陳代謝を維持する。しかし、人体が作り出す水素の速度は、フリーラジカルが発生する速度に到底追いつかず、他の方法で水素を補うことで、体内のフリーラジカルとのバランスを保つ必要がある。目下水素を補充する方法としては、(１)水素を吸入する、(２)水素を含む水素水を飲むとの方法がある。
【０００３】
上述の水素の源は、主に電解による方法で取得する。電解の方法は主に水を入れたウォーターボックスと一つの電解ユニットが相通じることで、該電解ユニットが該ウォーターボックス内の水に対して電解を行い、電解後に発生する水素を更に保存装置に送る。水素を搬送する過程において、水或いは水気を一緒に搬送するのは避けられず、これらの水或いは水気を集めて水素に使用するために、搬送する途中に一つの収集ボックスを設置して集める。この他、この方法を使って収集するのは水素だけでなく、酸素も上述の方法で集めることができる。
【０００４】
しかし、収集した結果、該収集ボックス内の水位は絶えず上昇する。該収集ボックスの水が溢れてその他の部品を濡らすのを避けるために、ユーザーは一定の時間で該収集ボックス内の水を流す必要があり、使用上大変不便であることを鑑みて、更なる改善が必要であった。
【先行技術文献】
【特許文献】
【０００５】
【特許文献１】特開２０１８−１８７３３７
【考案の概要】
【考案が解決しようとする課題】
【０００６】
前記公知構造の欠点を解決するため、本考案は一種の気体製造機の構造を提供することを主な課題とする。
【課題を解決するための手段】
【０００７】
前記の課題を解決するために、本考案は一種の気体製造機の構造を提供する。それに含まれるのは一つのボックス本体、一つの収集ボックス、一つの連通管及び一つの電解ユニットである。
【０００８】
該ボックス本体の内部に水を入れることができる。
【０００９】
該収集ボックス内部に水を入れることができ、該収集ボックス内部の空間に一つの気体スペースを隔てる。一つの排気管を該収集ボックスの頂部に設け、且つ該気体スペースと相通じる。且つ該収集ボックスの水平位置は該ボックス本体と同じ或いは高い。
【００１０】
該連通管の一端は該ボックス本体内部空間の底部と相通じ、別端は該収集ボックス内部空間の底部と相通じる。
【００１１】
該電解ユニットは一つのインプット端および一つの第一アウトプット端を具有し、該インプット端は一つの第一管体と該ボックス本体内部空間の底部と相通じる。該第一アウトプット端は一つの第二管体と接続し、且つ該第二管体の別端は該収集ボックスの内部空間と相通じる。
【００１２】
該電解ユニットが気体をアウトプットする過程において、一緒に水をアウトプットしやすい。水を充分に利用するために、本考案では連通管を通じて、該ボックス本体と該収集ボックスの間を連通するように形成し、該収集ボックスを使って該電解ユニットがアウトプットする水を、更に連通管原理を通じることで、該収集ボックス内にある余分の水を該ボックス本体に向かって移動させ、再度該電解ユニットにて電解して酸素、水素などの気体を作る。
【００１３】
よって、本考案のメリットは、気体を製造する過程において、該収集ボックス内の水が溢れて流す必要があるのか否かを常に注意する必要がなく、また水を再度循環して使用されるため、水を節約できる効果がある。
【考案の効果】
【００１４】
本考案の構造により、気体を製造する過程において、該収集ボックス内の水が溢れて流す必要があるのか否かを常に注意する必要がなく、また水を再度循環して使用されるため、水を節約できる効果がある。
【図面の簡単な説明】
【００１５】
【図１】本考案の実施例の水路図である。
【図２】本考案の実施例の外観図である。
【考案を実施するための形態】
【００１６】
以下、本考案の構造と特徴および実施例を、図面を参照しながら詳細に説明する。
【実施例】
【００１７】
図１及び図２に示すように、本考案は一種の気体製造機の構造に関する。それに含まれるのは一つのボックス本体、一つの収集ボックス、一つの連通管及び一つの電解ユニットである。
【００１８】
該ボックス本体１の内部に水を入れることができる。電解の過程において、該ボックス本体１内部の水Ａは絶えず減るために補充が必要である。それにより、本考案で更に実施できることは、該ボックス本体１内部に一つの液面センサー１１を設ける。更に該ボックス本体１と相通じる一つの搬送ユニット２を設ける。
該搬送ユニット２は該液面センサー１１と電気接続し、該搬送ユニット２は該液面センサー１１が感知した結果により、該ボックス本体１内に水を搬送するか否かを決定する。
よって、該液面センサー１１と該搬送ユニット２の組合せにより、一旦該ボックス本体１内部の水位が予定の高さより低い場合(即ち低水位の状態)、自動的に水を補充する機能が起動する。
【００１９】
該ボックス本体１の水位が別の予定の高さに達した場合(即ち高水位の状態)、水を補充する機能が自動的にストップするため、本考案は使用する上で大変便利である。図１に示すように、該液面センサー１１の最良実施例として、該ボックス本体１内部に一つの高水位フロートスイッチ１１１及び一つの低水位フロートスイッチ１１２を設ける。
【００２０】
以上は自動的に該ボックス本体１内の水を補充する機能であり、続いて手動で水を補充する実施方法を紹介する。該ボックス本体１内部に、アラームと電気接続する一つの液面センサー１１を設ける。該液面センサー１１は、該ボックス本体１内の水位が一つの範囲値以内を満たさない場合、該アラームが作動する。そのため、該ボックス本体１内の水位が低い場合、該アラームは作動し、直ちに手動で水を補充しなければならないことをユーザーに知らせる。該ボックス本体１内部の水位が該範囲値を超えた場合、同様に該アラームが作動するため、該ボックス本体１内部の水位が高すぎるのを避けることができる。
【００２１】
前記収集ボックス３内部に水を入れることができ、該収集ボックス３内部の空間に一つの気体スペース３１を隔てる。一つの排気管３２を該収集ボックス３の頂部に設け、且つ該気体スペース３１と相通じる。電解する過程において、同時に気体および水を出すのを避けることはできないため、それらの水は該収集ボックス３を通じて集められる。続いて、該収集ボックス３の水平位置は該ボックス本体１と同じ或いは高いため、本考案は連通管の原理を運用し、該収集ボックス３内に集めた水Ｂを該ボックス本体１内に搬送し、新たに回収電解して気体を発生させる。
【００２２】
該連通管４の一端は該ボックス本体１内部空間の底部と相通じ、別端は該収集ボックス３内部空間の底部と相通じる。その他言及すべきことは、該連通管４の接続方法は限定されず、該ボックス本体１と該収集ボックス３の両者の内部空間が通じ合い、且つ連通管の原理を形成するものは、全て本考案の範囲とする。以下三種類の接続方法を示す。図１に示すように、うち一つは該連通管４の一端は該第一管体５１の一部と相通じる。もう一つは該連通管４の一端を直接該ボックス本体１の底部に設け、該ボックス本体３の内部と相通じる。更に一つは該連通管４の一端と該第三管体５３の一部と相通じる。
【００２３】
該電解ユニット５は一つのインプット端および一つの第一アウトプット端を具有し、該インプット端は一つの第一管体５１と該ボックス本体１内部空間の底部と相通じる。該第一アウトプット端は一つの第二管体５２と接続し、且つ該第二管体５２の別端は該収集ボックス３の内部空間と相通じる。電解後に発生する水素或いは酸素はニーズに従い、順に該第二管体５２、該収集ボックス３および該排気管３２を経て収集され、同時に不必要な気体を外部に排出することができる。
【００２４】
この他、該排気管３２より排出する気体は、乾燥しすぎると使用しにくいため、乾燥しすぎるのを防ぐために、本考案が更に実施できることとは、該第二管体５２の別端は該収集ボックス３にまで伸びて該収集ボックス３内の水Ｂの中に入れる。それにより電解後の気体が排気管３２に向かって移動する過程で、該収集ボックス３内の水Ｂを通過するため、全体の湿度が上げられる。
【００２５】
また、該第一アウトプット端は気体をアウトプットするほか、一部分の電解水が混ざる。電解水は解離状態を呈すため、上述の該第二管体５２の更なる実施を行うことで、電解水は該第二管体５２を流れる過程で、次第に一般水に還元し、後に回収して再電解し易くなる。上述の方法は該第二管体５２の一端を該収集ボックス３内の水Ｂの中に入れるのに限られず、別端を直接該収集ボックス３の頂壁にまで伸ばし、該気体スペース３１と相通じるようにするのも同様の効果を具有する。
【００２６】
また、前記にて言及した該電解ユニット５は残った不必要な気体を外部に排出することについて、それらの気体を排出する過程でも、多少水を含むことがある。水の資源を有効的に利用するためにも、本考案が更に実施できることは、該電解ユニット５は一つの第二アウトプット端を具有し、該第二アウトプット端は一つの第三管体５３と接続し、且つ該第三管体５３の一端と該ボックス本体１の内部は相通じる。この実施例により、水の資源の浪費を下げることができる。
【００２７】
上述により、本考案には下記のメリットを具有する。
(１)連通管原理を利用し、該収集ボックス３内に収集した水Ｂを再び該ボックス本体１に搬送し、該電解ユニット５で電解を行うと、有効的に水の資源の浪費を避けることができると同時に、ユーザーは一定時間で該収集ボックス３内の余った水Ｂを流す必要がなく、全体的に使用上の便利性を高める。
【００２８】
(２)該第二管体５２を該収集ボックス３内の水Ｂに深く入れることで、気体が該排気管３２に入る過程において、該収集ボックス３内の水Ｂにより、全体の湿度を高めることができる。
【００２９】
(３)該搬送ユニット２及び該液面センサー１１の組合せにより、本考案は自動的に水を補充する機能を具有する。
【００３０】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００３１】
Ａ、Ｂ  水
１  ボックス本体
１１  液面センサー
１１１  高水位フロートスイッチ
１１２  低水位フロートスイッチ
２  搬送ユニット
３  収集ボックス
３１  気体スペース
３２  排気管
４  連通管
５  電解ユニット
５１  第一管体
５２  第二管体
５３  第三管体
【図１】
0003220913.tif 000003
【図２】
0003220913.tif 000004